(57)【特許請求の範囲】
【請求項１】
一対の対向する表面を有するピンオンリールであって、前記一対の表面の各々には、ピンオンリールホルダーの凸部を嵌合させることにより、前記ピンオンリールを保持するための第一の凹部又は孔が形成されていることを特徴とするピンオンリール。
【請求項２】
前記第一の凹部又は孔の周囲には、前記第一の凹部又は孔の横断面積よりも大きい横断面積を有する第二の凹部が形成されていることを特徴とする請求項１に記載のピンオンリール。
【請求項３】
前記第二の凹部の横断面は円形であることを特徴とする請求項２に記載のピンオンリール。
【発明の詳細な説明】
【０００１】
【発明の属する技術分野】
本願発明は、ピンオンリールに関する。特に、ピンオンリールホルダーに取り付けることができるピンオンリールに関する。
【０００２】
【発明が解決しようとする課題】
釣りなどの際には、ラインカッター、フックシャープナー、針外し等、頻繁に使用する道具をピンオンリールに取り付け、衣服等に吊り下げておくことが行われている。
【０００３】
このようなピンオンリールにおいては、複数の道具を取り付ける場合には、必要な数だけピンオンリールを用意しておく必要がある。
【０００４】
しかしながら、複数のピンオンリールを持ち歩くのでは、ピンオンリールがかさばり、不便である。
【０００５】
また、このような不便を解消するために、リール部の内部に複数のドラムを設け、これらのドラムから糸を一本ずつ引き出し、これらの糸にクリップ部を設けることにより、即ち、一つのケースの中に複数のドラムを設け、これと同じ数の糸及びクリップ部を備えることにより、複数の道具を取り付けられるようにしたものもある。
【０００６】
しかしながら、以上のようなピンオンリールでは、消費者は、予め、自己の使用する道具の数と同じ数のクリップ部を有するピンオンリールを購入する必要があった。
【０００７】
以上のような不便を解消するために、ピンオンリールを複数持ち歩くのに便利なように、複数のピンオンリールを留めておくことができるピンオンリールホルダーが使用される。
【０００８】
そこで、本願発明は、対向する一対の表面の各々に凹部又は孔を設け、該凹部又は孔にピンオンリールホルダーに設けられている凸部を嵌め込むことにより、ピンオンリールホルダーに取り付けることができるピンオンリール及びピンオンリールホルダーに設けられている凸部が、ピンオンリールに設けられている凹部又は孔からはずれた際にも、ピンオンリールの脱落を防止することができるピンオンリールを提供することを目的とする。
【０００９】
【課題を解決するための手段】
以上のような課題を解決するため、本願発明は、一対の対向する表面を有するピンオンリールであって、前記一対の表面の各々には、ピンオンリールホルダーの凸部を嵌合させることにより、前記ピンオンリールを保持するための第一の凹部又は孔が形成されていることを特徴とするピンオンリールを提供する。
【００１０】
ピンオンリールには、様々な形態のものがあるが、本願発明は、第一の部材と第二の部材とにより構成されるピンオンリールホルダーにピンオンリールを挟み込み保持することとしている関係上、本願発明に係るピンオンリールは、一対の対向する表面を有している必要がある。
【００１１】
この一対の対向する表面の各々には、ピンオンリールホルダーに設けられている凸部を嵌合させることにより、ピンオンリールを保持するための第一の凹部又は孔が形成されている。
【００１２】
このような第一の凹部又は孔は、ピンオンリールホルダーに設けられている凸部を嵌合させることができるものであれば充分であるが、一対の対向する表面の内、ピンオンリールに用いられているドラムの軸となる部分に対応する部分に設けておくことが望ましい。
【００１３】
このような部分に設けておくことにより、ピンオンリールの表面とその内部に納められているドラム等との間に第一の凹部又は孔を形成するためのスペースを別途設ける必要がなくなり、ピンオンリール自体を小型化することができる。
【００１４】
このような第一の凹部又は孔の周囲には、該第一の凹部又は孔の横断面積よりも大きい横断面積を有する第二の凹部を形成しておくことが望ましい。
【００１５】
このような第二の凹部が設けられていることにより、第一の凹部又は孔からピンオンリールホルダーに設けられている凸部が外れた場合でも、該凸部が引っかかり、ピンオンリールの脱落を防止することができるようになる。
【００１６】
第二の凹部は、ピンオンリールホルダーに設けられている凸部が、第一の凹部又は孔からいずれの方向に外れた場合でも、該凸部が引っかかるように、第一の凹部又は孔を取り囲むように、第一の凹部又は孔の周囲に設けられている。
【００１７】
なお、第二の凹部は、第一の凹部又は孔を取り囲むように、第一の凹部又は孔の周囲に設けられることから、該第二の凹部の横断面は円形であることが望ましい。
【００１８】
【発明の実施の形態】
図１は、本願発明の実施形態に係るピンオンリール１０の上方斜視図である。図２は、ピンオンリール１０のＡ−Ａ’線における縦断面図である。図３は、ピンオンリール１０とピンオンリールホルダー１２との分解斜視図である。図４は、ピンオンリールホルダー１２に用いられる第一の部材９の下方斜視図である。図５は、ピンオンリール１０とピンオンリールホルダー１２とを組み合わせた際の完成斜視図である。
【００１９】
本願発明の実施形態におけるピンオンリール１０は、ピンオンリール本体１とクリップ部２とこれらをつなぐ紐３とから構成されている。
【００２０】
ピンオンリール本体１の表面には、図３に表されているピンオンリールホルダー１２に設けられた保持用凸部１３を嵌め込むための保持用凹部４が設けられており、また、保持用凹部４の周囲には、保持用凸部１３に引っかかり、ピンオンリール１０の脱落を防止するための脱落防止用凹部５が設けられている。
【００２１】
また、図２に表されているように、ピンオンリール本体１の内部には、紐２を巻き取るためのドラム６が設けられている。
【００２２】
ドラム６の内部には、板スプリング８が挿入されており、板スプリング８の一端は、ドラム６の内部に固定され、他端は、ドラム６の軸となる保持用凹部４に固定されている。
【００２３】
このように、板スプリング８がドラム６の内部に挿入されていることから、ドラム６は、紐２を巻き取る方向に保持用凹部４を軸として回転するように付勢されている。
【００２４】
図２に表されているように、脱落防止用凹部５の深さＢは、保持用凹部４の深さＣよりも浅くなっている。
【００２５】
これは、脱落防止用凹部５の深さＢを保持用凹部４の深さＣよりも深くしてしまうと、保持用凹部４が凸部となってしまい、ピンオンリールホルダー１２に設けられている保持用凸部１３に嵌合できなくなってしまうからである。
【００２６】
以上のように、本願発明の実施形態に係るピンオンリール１０を構成したので、ピンオンリールホルダー１２に設けられている保持用凸部１３をピンオンリール１０に設けられている保持用凹部４に嵌合させることができ、ピンオンリールホルダー１２にピンオンリール１０を取り付けることができる。
【００２７】
また、ピンオンリール１０に設けられている保持用凹部４からピンオンリールホルダー１２に設けられている保持用凸部１３が外れた場合でも、保持用凸部１３が脱落防止用凹部５に引っかかり、ピンオンリール１０の脱落を防止することができるようになる。
【００２８】
図３に表されているように、ピンオンリールホルダー１２は、板状部材からなり、全体として円形の形状を有する第一の部材９と第二の部材１１とからなっている。
【００２９】
図４に表されているように第一の部材９には、第二の部材１１に対向する面に、ピンオンリール１０に設けられている保持用凹部４に対応させて、保持用凸部１３が二つ設けられている。
【００３０】
ここで、保持用凸部１３が二つ設けられているのは、ピンオンリールホルダー１２が、二つのピンオンリール１０を保持するものとして構成されているためである。
【００３１】
また、二つのピンオンリール１０が抵触しないようにするため、二つの保持用凸部１３の間隔Ｄは、ピンオンリール１０に設けられている保持用凹部４の中心からピンオンリール１０の外周部までの長さＥの和（即ち、Ｅ×２）に、第一の部材９と第二の部材１１とを固定するための固定手段として設けられた柱状部材１４の直径Ｆを足したものよりも大きくなるように構成する必要がある。
【００３２】
第二の部材１１には、第一の部材９に対向する面に、第一の部材９の保持用凸部１３と対称になる位置に保持用凸部１３が二つ設けられている。
【００３３】
なお、第二の部材１１に設けられている保持用凸部１３同士の間隔も、上述した、第一の部材９に設けられている保持用凸部１３同士の間隔と同様である。
【００３４】
本実施形態においては、板状部材からなる第一の部材９と第二の部材１１との間に、二つのピンオンリール１０を挟み込み、第一の部材９と第二の部材１１とを固定することにより、二つのピンオンリール１０を保持するように構成している。
【００３５】
ここで、固定手段として用いられる柱状部材１４には、雌ねじ穴１５が設けられている。
【００３６】
また、第二の部材１１には、貫通孔１６が第二の部材１１を貫通しており、第二の部材１１の下面から、貫通孔１６を通じて雌ねじ穴１５に蝶ネジ１７をねじ込むことにより、第一の部材９と第二の部材１１とが固定されるようになる。
【００３７】
従って、蝶ネジ１７を取り外すことにより、固定された第一の部材９と第二の部材１１とを分離することが可能となる。
【００３８】
なお、固定手段としては、以上のような態様に限定されるわけではなく、例えば、爪状部を有する柱状部材を第二の部材１１に設けられた固定用穴に挿入し、該爪状部を該固定用穴に引っ掛けることにより、第一の部材９と第二の部材１１とを固定してもよい。
【００３９】
第一の部材９と第二の部材１１との間隔は、ピンオンリール１０の厚さＧの間隔が開くようにすればよい。
【００４０】
このため、第一の部材９と第二の部材１１との固定手段として用いられている柱状部材１４の長さをこのＧの厚さに応じて適切に選択すればよい。
【００４１】
以上のように、本願発明の実施形態を構成したので、図５に表されているように、第一の部材９と第二の部材１１の間にピンオンリール１０を二つ保持し、該第一の部材９と第二の部材１１とを固定することができる。
【００４２】
また、図６に表されているように、第一の部材９及び第二の部材１１に設けられている保持用凸部１３がピンオンリール１０の保持用凹部４から外れた場合でも、保持用凸部１３が脱落防止用凹部５に引っかかり、ピンオンリール１０がピンオンリールホルダー１２から脱落することを防止することができる。
【００４３】
【発明の効果】
以上のように本願発明では、ピンオンリールの対向する一対の表面の各々に第一の凹部又は孔を設けているため、該凹部又は孔にピンオンリールホルダーに設けられている凸部を嵌め込むことができ、ピンオンリールホルダーに該ピンオンリールを取り付けることができる。
【００４４】
また、ピンオンリールに重い道具等を取り付け、ピンオンリールを保持するための第一の凹部又は孔から、該ピンオンリールを保持するためにピンオンリールホルダーに設けられた凸部が外れた場合であっても、ピンオンリールホルダーに設けられた凸部は第一の凹部又は孔の周囲に形成されている第二の凹部に引っかかるため、該ピンオンリールがピンオンリールホルダーから脱落してしまうことを防止することができる。
【図面の簡単な説明】
【図１】ピンオンリール１０の上方斜視図。
【図２】ピンオンリール１０のＡ−Ａ’線における縦断面図。
【図３】ピンオンリール１０とピンオンリールホルダー１２との分解斜視図。
【図４】図４は、ピンオンリールホルダー１２に用いられる第一の部材９の下方斜視図。
【図５】図５は、ピンオンリール１０とピンオンリールホルダー１２とを組み合わせた際の完成斜視図。
【図６】保持用凸部１３が保持用凹部４から外れた場合の縦断面図。
【符号の説明】
１  ピンオンリール本体
２  クリップ部
３  紐
４  保持用凹部
５  脱落防止用凹部
６  ドラム
７  軸用穴
８  板スプリング
９  第一の部材
１０  ピンオンリール
１１  第二の部材
１２  ピンオンリールホルダー
１３  保持用凸部
１４  柱状部材
１５  雌ネジ穴
１６  貫通孔
１７  蝶ネジ
【図１】
0004433261.tif 000002
【図２】
0004433261.tif 000003
【図３】
0004433261.tif 000004
【図４】
0004433261.tif 000005
【図５】
0004433261.tif 000006
【図６】
0004433261.tif 000007